(57)【要約】      （修正有）【課題】現在の操作に応じて実行させることのできる処理について、他の操作でも実行させることが出来る場合に、そのことをユーザーに認識させる。【解決手段】電子機器は、特定の操作部材に対する操作量をＭ段階に区切り、操作量の段階別に処理内容を割り当てて設定する設定手段７０と、特定の操作部材が操作された場合に、操作された操作量に対応する段階であるＮ段階目に対し、他の処理内容が割り当てられた段階と識別可能な識別表示を行うとともに、Ｎ段階目と異なるｉ段階目にＮ段階目と同じ処理内容が割り当てられている場合にはｉ段階目に対しても識別表示を行うように制御する制御手段５０とを有する。【選択図】図２
2020042595.tif 000002
【特許請求の範囲】
【請求項１】
特定の操作部材に対する操作量をＭ段階に区切り、操作量の段階別に処理内容を割り当てて設定する設定手段と、
前記特定の操作部材が操作された場合に、操作された操作量に対応する段階であるＮ段階目に対し、他の処理内容が割り当てられた段階と識別可能な識別表示を行うとともに、前記Ｎ段階目と異なるｉ段階目に前記Ｎ段階目と同じ処理内容が割り当てられている場合には前記ｉ段階目に対しても前記識別表示を行うように制御する制御手段と
を有することを特徴とする電子機器。
【請求項２】
前記設定手段で設定される前記処理内容は特定の機能の制御値であり、前記操作量の複数の段階に対して昇順または降順となるように設定されることを特徴とする請求項１に記載の電子機器。
【請求項３】
前記操作部材は押し込み可能な操作部材であり、前記操作量は前記操作部材に対する押し込み量であることを特徴とする請求項１または２に記載の電子機器。
【請求項４】
前記操作部材は、第１の操作部と第２の操作部とを有し、ユーザによって前記第１の操作部と前記第２の操作部の何れか一方が押し込み可能なシーソー型の操作部材であって、
前記操作量は、前記第１の操作部または前記第２の操作部がユーザー操作によって基準位置から押し込まれたときの押し込み量であることを特徴とする請求項１乃至３のいずれか１項に記載の電子機器。
【請求項５】
ズームを行うように制御するズーム制御手段を更に有し、
前記設定手段は、ユーザー操作に基づいて、前記特定の操作部材に対するＭ段階の操作量のそれぞれに対してズーム速度を設定可能であり、
前記ズーム制御手段は、前記特定の操作部材に対する操作が行われたことに応じて、行われた操作の操作量に対して前記設定手段で設定されたズーム速度でズームを行うように制御することを特徴とする請求項１乃至４のいずれか１項に記載の電子機器。
【請求項６】
前記Ｍ段階は３段階以上であることを特徴とする請求項１乃至５のいずれか１項に記載の電子機器。
【請求項７】
前記制御手段は、前記Ｍ段階にそれぞれ対応する複数の表示要素を表示手段に段階順に並べて表示し、前記識別表示として、前記特定の操作部材が操作された場合に、前記複数の表示要素のうち、前記Ｎ段階目に割り当てられた処理内容が割り当たっている段階に対応する表示要素を、他の表示要素と識別可能に表示するように制御することを特徴とする請求項１乃至６のいずれか１項に記載の電子機器。
【請求項８】
前記表示要素は、対応する段階に割り当てられた処理内容に応じた高さまたは幅のバー状の矩形であることを特徴とする請求項７に記載の電子機器。
【請求項９】
複数の操作方法別に処理内容を割り当てて設定する設定手段と、
第１の操作方法で操作された場合に該第１の操作方法または該第１の操作方法に割り当てられた処理内容に対し、他の処理内容が割り当てられた操作方法と識別可能な識別表示を行うとともに、前記第１の操作方法と異なる第２の操作方法に、前記第１の操作方法と同じ処理内容が割り当てられている場合には、前記第２の操作方法または前記第２の操作方法に割り当てられた処理内容に対しても前記識別表示も行うように制御する制御手段と
を有することを特徴とする電子機器。
【請求項１０】
前記設定手段は、複数の操作方法別に、前記処理内容として複数の機能のいずれかを設定可能であることを特徴とする請求項７に記載の電子機器。
【請求項１１】
前記複数の操作方法は、複数の操作部材のそれぞれに対する操作、特定の操作部材の複数の操作位置のそれぞれに対する操作、特定の操作部材での複数の操作方向のそれぞれに対する操作のいずれかであることを特徴とする請求項９または１０に記載の電子機器。
【請求項１２】
前記識別表示は、色、枠線、下線の少なくとも１つによる識別表示であることを特徴とする請求項１乃至１１のいずれか１項に記載の電子機器。
【請求項１３】
撮像手段を更に有することを特徴とする請求項１乃至１２のいずれか１項に記載の電子機器。
【請求項１４】
特定の操作部材に対する操作量をＭ段階に区切り、操作量の段階別に処理内容を割り当てて設定する設定ステップと、
前記特定の操作部材が操作された場合に、操作された操作量に対応する段階であるＮ段階目に対し、他の処理内容が割り当てられた段階と識別可能な識別表示を行うとともに、前記Ｎ段階目と異なるｉ段階目に前記Ｎ段階目と同じ処理内容が割り当てられている場合には前記ｉ段階目に対しても前記識別表示を行うように制御する制御ステップと
を有することを特徴とする電子機器の制御方法。
【請求項１５】
複数の操作方法別に処理内容を割り当てて設定する設定ステップと、
第１の操作方法で操作された場合に該第１の操作方法または該第１の操作方法に割り当てられた処理内容に対し、他の処理内容が割り当てられた操作方法と識別可能な識別表示を行うとともに、前記第１の操作方法と異なる第２の操作方法に、前記第１の操作方法と同じ処理内容が割り当てられている場合には、前記第２の操作方法または前記第２の操作方法に割り当てられた処理内容に対しても前記識別表示も行うように制御する制御ステップと
を有することを特徴とする電子機器の制御方法。
【請求項１６】
コンピュータを、請求項１乃至１３のいずれか１項に記載された電子機器の各手段として機能させるためのプログラム。
【請求項１７】
コンピュータを、請求項１乃至１３のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、その制御方法、プログラムおよび記録媒体に関する。
【背景技術】
【０００２】
ユーザーへの補助情報として、操作部材に対してどのような操作が行われているかを表示する電子機器が知られている。
【０００３】
特許文献１には、タッチパネルをユーザが押す力を表示するとともに、ユーザの押下圧が許容範囲に入るようにユーザを促すメッセージ（「もっと強く押してください」等）を表示することが提案されている。これによってユーザは、自身の入力操作時の押下圧が、適正値を基準にして強いか弱いか、あるいは、許容範囲内か許容範囲外かを認識することができ、次の操作時の押下圧を調節するようになる、と記載されている。
【０００４】
特許文献２には、複数の押し込み位置のいずれかを押下可能なタッチホイールボタンについて、各押し込み位置に現在割り当てられている機能を示すとともに、タッチホイールボタン対して現在ユーザーが触れている箇所を示す表示を行うことが提案されている。
【先行技術文献】
【特許文献】
【０００５】
【特許文献１】特開２０１５−１１８５０４号公報
【特許文献２】特開２００７−２２１７２１号公報
【発明の概要】
【発明が解決しようとする課題】
【０００６】
特許文献１、２のような従来技術では、操作部材に対してどのような操作が行われているか、行われている操作に関してどのような機能が割り当てられているかを示すことが出来る。しかし、現在行っている操作に応じて実行させることのできる処理が、他の操作でも実行させることが可能である場合に、そのことをユーザーに認識させることは出来なかった。
【０００７】
そこで本発明は、現在の操作に応じて実行させることのできる処理について、他の操作でも実行させることが出来る場合に、そのことをユーザーに認識させることのできる電子機器、電子機器の制御方法、プログラム及び記録媒体を提供することを目的とする。
【課題を解決するための手段】
【０００８】
上記課題を解決するために、本発明の電子機器は、
特定の操作部材に対する操作量をＭ段階に区切り、操作量の段階別に処理内容を割り当てて設定する設定手段と、
前記特定の操作部材が操作された場合に、操作された操作量に対応する段階であるＮ段階目に対し、他の処理内容が割り当てられた段階と識別可能な識別表示を行うとともに、前記Ｎ段階目と異なるｉ段階目に前記Ｎ段階目と同じ処理内容が割り当てられている場合には前記ｉ段階目に対しても前記識別表示を行うように制御する制御手段と
を有することを特徴とする。
【発明の効果】
【０００９】
現在の操作に応じて実行させることのできる処理について、他の操作でも実行させることが出来る場合に、そのことをユーザーに認識させることができる。
【図面の簡単な説明】
【００１０】
【図１】デジタルカメラ１００の外観図である。
【図２】デジタルカメラ１００の構成ブロック図である。
【図３】撮影モード処理のフローチャートである。
【図４】表示部２８におけるメニュー画面、ユーザー設定確認画面、ユーザー設定の編集画面の表示例である。
【図５】ズーム速度設定詳細表示処理のフローチャートである。
【図６】ズームキー１０４の押下に応じた指標と速度バーの表示遷移の説明図である。
【図７】ズーム処理のフローチャートである。
【図８】ユーザー設定編集処理のフローチャートである。
【図９】ズーム速度設定簡易表示処理のフローチャートである。
【図１０】（ａ１）〜（ａ３）は、ズーム速度設定詳細表示処理による速度バーの表示例である。（ｂ１）〜（ｂ３）は、ズーム速度設定簡易表示処理による速度バーの表示例である。
【図１１】変数ｂと｛Ｖ（ｉ）−Ｖ（ｉ−１）｝によって決まる段数の対応関係である。
【図１２】ズームキー１０４の押下に応じた他の表示例である。
【図１３】アサインボタンの押下に応じた表示例である。
【発明を実施するための形態】
【００１１】
以下、本発明に係る実施形態について図面を参照して説明する。
【００１２】
図１は、本発明の電子機器（表示制御装置）の一例としてのデジタルカメラ１００（デジタルビデオカメラ）の外観図である。図１（ａ）はデジタルカメラ１００を一方の側面から見た図であり、図１（ｂ）はデジタルカメラ１００を他方の側面から見た図である。デジタルカメラ１００は、前面側に、バリア１０１と、撮影レンズ１０２とを有する。また、デジタルカメラ１００は、背面側に、表示部２８としてのビューファインダを有する。また、デジタルカメラ１００は、本体部の側方に、操作デバイスとしてのシーソー型のズームキー１０４（グリップズームキー）を備える。アサインボタン１（１００１），２（１００２），３（１００３），４（１００４）は、ユーザーが各ボタンに複数の機能のうちいずれかを割り当てることのできるカスタマイズキーである。
【００１３】
図１（ｃ）は、ズームキー１０４を拡大した図である。ズームキー１０４は、ユーザーによる押し込み動作によって操作される。デジタルカメラ１００は、ズームキー１０４が基準位置から押し込まれたときの押し込み量（操作量、押下量）に応じたズーム速度（機能）が割り当てられている。ズームキー１０４は、第１操作部分１０５ａと第２操作部分１０５ｂとを有する。第１操作部分１０５ａはユーザーが望遠側（テレ側）にズームする指示操作を行うときに操作する部分である。第２操作部分１０５ｂはユーザーが広角側（ワイド側）にズームする指示操作を行うときに操作する部分である。ユーザーが第１操作部分１０５ａを押し込むことにより押し込み量に割り当てられたズーム速度でズームインされる。一方、ユーザーが第２操作部分１０５ｂを押し込むことにより押し込み量に割り当てられたズーム速度でズームアウトされる。なお、ズームキー１０４は、ユーザーが第１操作部分１０５ａまたは第２操作部分１０５ｂの押し込みを解除することで基準位置（初期位置）に戻るように構成される。
【００１４】
図２は、デジタルカメラ１００の構成の一例を示すブロック図である。
【００１５】
撮影レンズ１０２は、ズームレンズ、フォーカスレンズを含むレンズ群である。ズームレンズは、焦点距離を変化させることによってズーム倍率を変化させる。ズームレンズは、ズーム制御部２０１によって制御される。フォーカスレンズはピント合わせを行うレンズである。フォーカスレンズは、測距制御部２０２によって制御される。
【００１６】
撮像部２０３は、光学像を電気信号に変換するＣＣＤやＣＭＯＳ素子等で構成される撮像センサーである。Ａ／Ｄ変換器２０４は、撮像部２０３から出力されるアナログ信号をデジタル信号に変換する。バリア１０１は、デジタルカメラ１００の撮影レンズ１０２を含む撮像系を覆うことにより撮像系の汚れや破損を防止する。
【００１７】
画像処理部２０５は、Ａ／Ｄ変換器２０４からの画像データまたはメモリ制御部２０６からの画像データに対し所定の画素補間、縮小といったリサイズ処理や色変換処理を行う。また、画像処理部２０５は、撮像された画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。更に、画像処理部２０５は、撮像された画像データを用いて所定の演算処理を行い、得られた演算結果に基づいてＴＴＬ方式のＡＷＢ（オートホワイトバランス）処理も行っている。
【００１８】
Ａ／Ｄ変換器２０４からの画像データは、画像処理部２０５およびメモリ制御部２０６を介して、または、メモリ制御部２０６を介してメモリ２０７に直接書き込まれる。メモリ２０７は、撮像部２０３によって得られＡ／Ｄ変換器２０４によりデジタルデータに変換された画像データや、表示部２８に表示するための画像データを格納する。メモリ２０７は、所定枚数の静止画像や所定時間の動画像および音声を格納するのに十分な記憶容量を備える。また、メモリ２０７は記録媒体２００から読み出した画像データやＯＳＤ（Ｏｎ  Ｓｃｒｅｅｎ  Ｄｉｓｐｌａｙ）データを表示部２８に表示するときの画像表示用のメモリ（ビデオメモリ）を兼ねている。
【００１９】
Ｄ／Ａ変換器２０９は、メモリ２０７に格納されている画像表示用の画像データをアナログ信号に変換して表示部２８に供給する。したがって、メモリ２０７に書き込まれた表示用の画像データは、Ｄ／Ａ変換器２０９を介して表示部２８により表示される。表示部２８は、ＬＣＤ等の表示器上にＤ／Ａ変換器２０９からのアナログ信号に応じた表示を行う。Ａ／Ｄ変換器２０４によって一度Ａ／Ｄ変換されメモリ２０７に蓄積されたデジタル信号をＤ／Ａ変換器２０９においてアナログ変換し、表示部２８に逐次転送して表示することで、電子ビューファインダとして機能し、ライブビュー画像が表示される。本実施形態の表示部２８は、液晶ディスプレイであるが、有機ＥＬ（Ｏｒｇａｎｉｃ  Ｅｌｅｃｔｒｏｌｕｍｉｎｅｓｃｅｎｃｅ）ディスプレイ等の他の方式のディスプレイであってもよい。また、本実施形態の表示部２８は、電子ビューファインダであるが、小型（例えば３．５インチ）の液晶モニタであってもよく、ＨＤＭＩ（登録商標）やＳＤＩ等の外部出力であってもよい。更に、表示部２８は、これらの表示出力系を複数備えていてもよい。
【００２０】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。このプログラムは、本実施形態の後述する各種フローチャートを実行するためのプログラムである。
【００２１】
システム制御部５０はデジタルカメラ１００全体を制御する少なくとも１つのプロセッサー又は／及び少なくとも１つの回路である。システム制御部５０が不揮発性メモリ５６に記憶されたプログラムを実行することで、本実施形態の後述する各処理を実現する。また、システム制御部５０は、メモリ２０７、Ｄ／Ａ変換器２０９、表示部２８等を制御することにより表示制御も行う。
【００２２】
システムメモリ５２は、例えばＲＡＭが用いられる。システムメモリ５２は、システム制御部５０の動作用の定数、変数、不揮発性メモリ５６から読み出したプログラム等が記憶される。システムタイマー２１２は各種制御に用いる時間や、内蔵された時計の時間を計測する計時部である。
【００２３】
操作部７０は、システム制御部５０に各種の動作指示を入力するための操作手段である。操作部７０は、メニューボタン、キャンセルボタン、十字キー（上方向キー、下方向キー、左方向キー、右方向キー）、ＳＥＴボタン、ＡＦ／ＭＦ切替ボタンを有する。また、メニュー設定で機能を割り当て可能なアサインボタン１（１００１），２（１００２），３（１００３），４（１００４）を含む。例えば、メニューボタンが押下されると各種の設定可能なメニュー画面が表示部２８に表示される。ユーザーは表示部２８に表示されたメニュー画面と、十字キーやＳＥＴボタンとを用いて直感的に各種設定を行うことができる。
【００２４】
モード切替スイッチ２１４は、システム制御部５０の動作モードを動画記録モード、再生モード等の何れかのモードに切替える。
【００２５】
電源スイッチ２１５は、電源オン、電源オフを切替えるための押しボタンである。
【００２６】
ズームキー１０４は、操作部７０に含まれ、シーソー型の操作部材であって、押し込まれることで操作される。システム制御部５０はズームキー１０４の第１操作部分１０５ａまたは第２操作部分１０５ｂの押し込み量を検知し、押し込み量に割り当てられたズーム速度になるように、ズーム制御部２０１を制御して撮影レンズ１０２の位置を変化させる。本実施形態のズームキー１０４は押し込み量が大きいほど電圧変化量が大きくなる。したがって、システム制御部５０はズームキー１０４が出力する電圧を検知することで押し込み量を検知する。
【００２７】
電源制御部２１６は、電池検出回路、ＤＣ−ＤＣコンバータ、通電するブロックを切替えるスイッチ回路等により構成され、電池の装着の有無、電池の種類、電池残量の検出を行う。また、電源制御部２１６は、検出結果およびシステム制御部５０の指示に基づいてＤＣ−ＤＣコンバータを制御し、必要な電圧を必要な期間、記録媒体２００を含む各部に供給する。
【００２８】
電源部２１７は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２１８は、メモリカードやハードディスク等の記録媒体２００とのインターフェースである。記録媒体２００は撮像された画像の画像ファイルを記録するための記録媒体であり、メモリーカードなどの半導体メモリや磁気ディスク等から構成される。
【００２９】
ズーム速度は動画の映像表現手法として重要なファクターである。例えば、速いズーム速度でズームインすると、遠くの被写体を素早く拡大することができ、動画の視聴者にはスピード感を感じさせることができるが、一方で、落ち着きのない乱雑なカメラワークであるという印象を与える可能性がある。ごく低速のズーム速度でズームインすると、ただ話しているだけの動きの少ない被写体（役者など）を撮影している場合でも、視聴者に退屈な印象を与えることを低減することができるとともに、ズームインの中央にいる被写体により注目させることができる。しかし、遠くの被写体を短い時間内に十分な大きさまで拡大することはできない。また、一定のズーム速度でズームを行ったり、最初はゆっくりズームし、続いて速い速度でズームするといったズーム操作が求められることもある。このように、どのようなズーム速度が好適かは、ズームを行う状況や映像作成者の意図によって異なる。従って、撮影者の意図通りのズーム速度を操作性良く使い分けられることが求められる。
【００３０】
本実施形態のデジタルカメラ１００においては、ズームキー１０４に対する操作によって行われるズームにおいて、様々なズーム速度を操作性良く使い分けて使用することができる。デジタルカメラ１００では、ズームキー１０４に対する操作に応じたズームの種別として少なくとも、固定速ズーム、可変速ズーム、ユーザー設定の３つのうち何れかを選択して設定することができる。各種別の内容については後述する。また、少なくとも３種類の、ズームキー１０４の押下レベル毎のズーム速度のプリセットパターンを用いることができる。更に、プリセットパターンをベースにして、押下レベル毎のズーム速度をユーザーが変更してカスタマイズしたパターンを登録して使用することができる。すなわち、プリセットパターンが割り当てられた状態から、複数の押下レベルのそれぞれ割り当てられたズーム速度をユーザー操作に基づいて調整可能である。以下、ズームキー１０４に対する操作に応じたズーム制御を中心に説明する。
【００３１】
本実施形態では、システム制御部５０はズームキー１０４が押下されたときに検知した電圧を変換することで、押下量（押し込み量）を示す−１２７〜＋１２７の範囲の数値を取得する。ズームキー１０４が押下されていない場合には数値０が取得される。第１操作部分１０５ａが押下された場合（ズームキー１０４の支点を中心に時計回り方向に押下された場合）には１〜１２７の数値が取得され、テレ側（望遠側）へのズーム操作が行われていることを示す。第２操作部分１０５ｂが押下された場合（ズームキー１０４の支点を中心に反時計回り方向に押下された場合）には−１〜−１２７の数値が取得され、ワイド側（至近側）へのズーム操作が行われていることを示す。それぞれ、絶対値が大きい方が強く押下された（より深く押し込まれた）ことを示しており、正負の符号はズーム方向を示す。デジタルカメラ１００では、１〜１２７、−１〜−１２７で取得される数値をそれぞれ５段階のレベルに区切り（分類し）、それぞれのレベルに対してズーム速度を割り当てて管理される。すなわち、操作量の５段階の段階別にズーム速度を割り当てて管理される。本実施形態で操作量を５段階に区切った例を説明するが、２段階以上または３段階以上の他の段数でもよい。本実施形態の５段階では例えば、システム制御部５０は、１〜２５のいずれかの数値を取得した場合に、テレ側への押下レベル１とし、押下レベル１に対応付けられたズーム速度でテレ側にズームを行うように制御する。また、２６〜５０のいずれかの数値を取得した場合に、テレ側への押下レベル２とし、押下レベル２に対応付けられたズーム速度でテレ側にズームを行うように制御する。同様に、５１〜７５、７６〜１００、１０１〜１２７がそれぞれ押下レベル３、４、５となる。すなわち、押下レベル１〜４の各レベルの数値範囲は２５、最大の押下レベルである押下レベル５だけ数値範囲は２７である。押下レベル１〜４では、押圧力を上げれば更に高い押下レベルにすることができるが、押下レベル５より上は無い。すなわち、押下レベル５を除いて、押下量を２５上げる毎に押下レベルが１つ上がるという比例関係となっている。また、−２５〜−１のいずれかの数値を取得した場合に、ワイド側への押下レベル１（あるいは、押下レベル−１）とし、ワイド側への押下レベル１に対応付けられたズーム速度でワイド側にズームを行うように制御する。また、−５０〜−２６のいずれかの数値を取得した場合に、ワイド側への押下レベル２（あるいは、押下レベル−２）とし、ワイド側への押下レベル２に対応付けられたズーム速度でワイド側にズームを行うように制御する。本実施形態では、押下レベルの絶対値が同じであれば（例えば押下レベル１と−１）、テレ側でもワイド側でもズーム速度の絶対値は同じものとするが、それぞれ異なる絶対値のズーム速度を割り当てられるようにしてもよい。電圧、数値および押下レベルとの対応は、予め不揮発性メモリ５６に関連付けて記憶されている。また、ユーザーがカスタマイズすることもできる。なお、片側５段階の押下量と押下レベルの関係は上述の数値範囲に限るものではなく、各レベルの数値範囲幅が均等であってもよく、段階によって重み付けされていてもよい。段階によって重み付けする場合とは、例えば、押下レベル１と押下レベル５に対応する数値の範囲を、他の押下レベルよりも広くすることである。このような数値範囲をすれば、最小の押下レベル（最低速度のズーム速度）と、最大の押下レベル（最高速度のズーム速度）を利用しやすくすることができる。なお、押下レベルは片側５段階の例を説明したが、これに限るものでなく、より多段階や、少ない段階に分けてもよい。
【００３２】
本実施形態のデジタルカメラ１００では、ズームキー１０４の上述の押下レベル毎に、０〜１６の１７段階のズーム速度（ズーム機能の制御値、設定値である）のいずれかが割り当てられる。なお、各押下レベルに割り当てられるズーム速度は１７段階以外であってもよく、数値とは異なる「遅い、普通、速い」等の表現であってもよい。例えば、押下レベル１にズーム速度３が割り当たっている場合、ユーザーがズームキー１０４を押下レベル１（押下量１〜２５のいずれか）で押し込んでいる状態では、ズーム位置がテレ端（望遠端）に達していなければズーム速度３でテレ側にズームされる。
【００３３】
なお、本実施形態のデジタルカメラは、後述するズーム速度のユーザー設定（ユーザーカスタマイズ）の他に、全体のズーム速度をハイ、ミドル、ローのいずれかに設定可能である。すなわち、各押下レベルに設定した「０〜１６」のズーム速度が、ハイ、ミドル、ローの設定に応じて変更される。
【００３４】
図３に、デジタルカメラ１００における撮影モード処理のフローチャートを示す。なお、図３を含む後述する各フローチャートの処理は、不揮発性メモリ５６に記録されたプログラムを、システムメモリ５２に展開してシステム制御部５０が実行することにより実現する。デジタルカメラ１００が撮影モードで起動されると図３の処理を開始する。
【００３５】
Ｓ３０１では、システム制御部５０は、撮像部２０３でのＬＶ画像の撮像を開始し、ＬＶ画像を含む撮影待機画面を表示する。
【００３６】
Ｓ３０２では、システム制御部５０は、ズーム速度設定簡易表示処理を行う。ズーム速度設定簡易表示処理については、図９を用いて後述する。この処理によって、ズーム速度の種別がユーザー設定（ユーザーカスタマイズ）に設定されていた場合には、ユーザーによってカスタマイズされたズームキー１０４の押下レベル毎のズーム速度の相対関係を示すズーム速度バーがＬＶ画像に重畳して表示される。
【００３７】
Ｓ３０３では、システム制御部５０は、操作部７０に含まれるメニューボタンが押下されたか否か（メニュー表示指示があったか否か）を判定する。メニューボタンが押下された場合はＳ３１１に進み、そうでない場合にはＳ３０４に進む。
【００３８】
Ｓ３０４では、システム制御部５０は、ズームキー１０４が押下されたか否かを判定する。ズームキー１０４が押下された場合はＳ３０５に進み、そうでない場合にはＳ３０６に進む。Ｓ３０５では、ズームキーの押下量に従ったズーム速度でのズーム処理を行う。ズーム処理については図７を用いて後述する。
【００３９】
Ｓ３０６では、システム制御部５０は、操作部７０に含まれるＲＥＣボタン（撮影指示キー）が押下されたか否かを判定する。ＲＥＣボタンが押下された場合はＳ３０７に進み、そうだない場合はＳ３１０に進む。Ｓ３０７では、システム制御部５０は、動画の記録中であるか否かを判定する。動画の記録中であった場合にはＳ３０９に進み、そうでない場合（記録停止中、記録待機中）にはＳ３０８に進む。Ｓ３０８では、撮像部２０３で撮像された動画を動画ファイルとして記録媒体２００に記録する記録処理（本撮影処理、ＲＥＣ）を開始する。Ｓ３０９では、システム制御部５０は、記録中の動画を停止し、記録されていた動画ファイルのクローズ処理を行う。これによって記録待機中となる。すなわち、システム制御部５０は、動画記録の待機中（停止中、ＳＴＢＹ）にＲＥＣボタンが押下されるとＲＥＣを開始し、ＲＥＣ中にＲＥＣボタンが押下されると動画の記録を停止する。
【００４０】
Ｓ３１０では、システム制御部５０は、撮影モード処理の終了イベントが発生したか否かを判定する。終了イベントには、電源スイッチ２１５の押下による電源オフ、電源電圧低下による電源オフ、再生モードへの移行、などが含まれる。終了イベントが発生すると撮影モード処理を終了し、そうでない場合にはＳ３０３に戻って処理を繰り返す。
【００４１】
Ｓ３１１では、システム制御部５０は、表示部２８に、メニュー画面を表示する。メニュー画面は、それぞれデジタルカメラ１００に関する各種設定を行うための複数のメニュー項目を含むメニューを表示する画面である。メニュー画面は、スクロール、あるいはタブ切り替えにより、１画面に収まらない複数のメニュー項目のうち一部のメニュー項目を表示させることができる。
【００４２】
図４（ａ）に、メニュー画面の表示例を示す。図４（ａ）は、カメラ設定に関するメニューのうち、ズーム速度の種別を設定するメニュー項目４０３と、ズーム速度カスタマイズのユーザー設定番号を選択するためのメニュー項目４０４を含む部分を表示した表示例である。メニュー画面は、ＬＶ画像４００に記録可能時間４０１ａ、記録状態４０１ｂ、記録可能時間４０１ｃが重畳して表示された撮影待機画面に重畳して表示される。メニュー項目４０３（「グリップズームスピード」）は、ズームキー１０４が操作された場合にどのようなズーム速度の割当パターンに基づいてズーム駆動するかを設定する項目である。選択肢として、「ユーザー」（ユーザー設定、ユーザーカスタマイズ）、可変速ズーム、固定速ズームがあり、いずれかに設定可能である。「ユーザー」（ユーザー設定、ユーザーカスタマイズ）は、ズームキー１０４の押下量（押し込み量、押し込み具合、圧力、押圧量）毎にユーザーが設定したズーム速度、あるいはプリセットされたズーム速度でズーム駆動する種別である。ユーザーは、押下量毎に異なるズーム速度となるように設定することも可能であるし、押下量に関わらず同じズーム速度でズーム駆動するように設定することも可能である。可変速ズームは、ズームキー１０４の押し込み量に対して予め割り当てられた、押し込み量毎に異なるズーム速度でズーム駆動する種別である。固定速ズームは、ズームキー１０４の押し込み量に関わらず、ズームキー１０４が押下されている場合に一定のズーム速度でズーム駆動する種別である。すなわち、固定速ズームは、ズームキー１０４の押し込み量に対して、どの押し込み量にも予め同じズーム速度が割り当てられた、どの押し込み量でも同じズーム速度でズーム駆動する種別である。メニュー項目４０４（「ユーザー設定」）は、ズーム速度の種別が「ユーザー」である場合に、複数の設定パターン（ユーザーが設定したパターン、またはプリセットされたパターン）のうちいずれのパターンとするかを設定する項目である。本実施形態では、ユーザー１、ユーザー２、ユーザー３の３つの選択肢（ユーザー設定番号１〜３）のうち何れかに設定できるものとする。すなわち、本実施形態では、ユーザーは、ズームキーの押下量毎のズーム速度のパターンを３つ登録することができる。メニュー項目４０４は、メニュー項目４０３で「ユーザー」に設定されている場合に選択可能となる。その他の場合（可変速ズームまたは固定速ズームに設定されている場合）にはグレーアウトして選択不可能になっているものとする。
【００４３】
Ｓ３１２では、システム制御部５０は、ズーム速度の種別の変更指示があったか否かを判定する。前述のとおり、ズーム速度の種別は、メニュー項目４０３を選択することで行うことができる。具体的には、メニュー項目４０３に選択カーソルをあてた状態で操作部７０に含まれる右キーまたは左キ―（以下、総称して左右キーと称する）を押下することによって変更することができる。ズーム速度の種別の変更指示があった場合にはＳ３１３に進み、そうでない場合にはＳ３１４に進む。Ｓ３１３では、システム制御部５０は、ズーム速度の種別変更指示に基づいて、「ユーザー」（ユーザー設定、ユーザーカスタマイズ）、可変速ズーム、固定速ズームのいずれかに設定する。
【００４４】
Ｓ３１４では、システム制御部５０は、現在のズーム速度の種別がユーザー設定（「ユーザー」）に設定されているか否かを判定する。ユーザー設定に設定されている場合にはＳ３１５に進み、そうでない場合にはＳ３１６へ進む。Ｓ３１５では、システム制御部５０は、「ユーザー設定」の項目（メニュー項目４０４）が選択された状態（選択カーソルが当たっている状態）で操作部７０に含まれるセットボタンが押下されたか否かを判定する。ユーザー設定の項目が選択された状態でセットボタンが押下された場合はＳ３１９に進み、そうでない場合にはＳ３１６へ進む。
【００４５】
Ｓ３１６では、システム制御部５０は、その他の操作が行われたか否かを判定する。その他の操作とは、メニュー項目を選択するための選択カーソルの移動操作（操作部７０に含まれる上下キー操作）、その他のメニュー項目を選択した状態での設定操作が含まれる。Ｓ３１７では、システム制御部５０は、その他の操作に応じた処理を行う。例えば、下キーの１回の操作に応じて選択カーソルを１つ下のメニュー項目を選択するように移動させる。
【００４６】
Ｓ３１８では、システム制御部５０は、メニュー画面を終了する指示（メニュークリア操作）があったか否かを判定する。メニュー画面を終了する指示があった場合にはメニュー画面を非表示とし、Ｓ３０１に戻って撮影滝画面を表示する。メニュー画面を終了する指示が無い場合にはＳ３１２に戻って処理を繰り返す。
【００４７】
Ｓ３１９では、システム制御部５０は、不揮発性メモリ５６から、現在メニュー項目４０４で設定されているユーザー設定番号におけるズームキー１０４の押下量毎（押下レベル毎）のズーム速度の設定値（登録されている設定パターン）を読み出す。
【００４８】
Ｓ３２０では、システム制御部５０は、ズーム速度設定詳細表示処理を行う。ズーム速度設定詳細表示処理については図５を用いて後述する。
【００４９】
Ｓ３２１では、システム制御部５０は、表示部２８に、ユーザー設定確認画面を表示する。図４（ｃ１）、図４（ｄ１）、図４（ｅ１）に、ユーザー設定確認画面の表示例を示す。図４（ｃ１）、図４（ｄ１）、図４（ｅ１）は、それぞれ、「ユーザー設定１」、「ユーザー設定２」、「ユーザー設定３」に登録されているズームキー１０４の押下レベル毎のズーム速度の設定パターンの確認画面の表示例である。図４（ｃ１）、図４（ｄ１）、図４（ｅ１）において、ユーザー設定番号４０５は、現在表示している設定パターンの識別番号であるユーザー設定番号である。ＯＫボタン４０６は、現在表示している設定パターンに設定を変更し、確認画面を終了させるための選択肢である表示アイテムである。編集ボタン４０７は、現在表示している設定パターンを編集する画面（押下レベル毎のズーム速度の設定を変更する画面）へ遷移するための選択肢である表示アイテムである。ユーザーは、ユーザー設定番号４０５、ＯＫボタン４０６、編集ボタン４０７のいずれかを選択カーソルを移動させて選択することが可能である。また、背景に、ＬＶ画像４００、記録可能時間４０１ａ、記録状態４０１ｂ、記録可能時間４０１ｃが表示される。また、現在のズーム位置を示すズームバー４０８を、ズームキー１０４の操作開始に応じて表示し、操作終了後所定時間経過するまで表示する。ズームバー４０８のうち左端がワイド端、右端がテレ端に対応し、縦長の指標の位置によって、現在のズーム位置を示している。ズームキー１０４への操作によって光学ズームが行われると、指標の位置がズーム位置に応じて移動する。
【００５０】
図４（ｃ１）、図４（ｄ１）、図４（ｅ１）において、ズーム速度バー表示領域４１０には、ズームキー１０４を各押下レベルで押下した場合のズーム速度の設定値を、それぞれのバー状の矩形の高さで示した表示要素であるズーム速度バーが表示される。「ズーム速度バー」のそれぞれは表示要素（表示アイテム）の１つであり、以下、「ズーム速度バー」を単に「速度バー」と称することもある。なお、ズーム速度バー表示領域４１０を示す図中の点線は便宜上図示したものであって、表示部２８に表示されるものでは無い。また、以後、ズームキー１０４をワイド側に押下レベル１〜５で押下した場合を、それぞれ押下レベル１〜−５とも称する。押下レベル１〜−５は、ズームキー１０４をテレ側に押下した場合の押下レベル１〜５とそれぞれ同じ押下量（圧力、押下度合い、操作度合い）の絶対値に対応する。そして、ズーム駆動の指示方向がテレ側と逆のワイド側（押下位置が第１操作部分１０５ａではなく第２操作部分１０５ｂ）となる。
【００５１】
図４（ｃ１）、図４（ｄ１）、図４（ｅ１）において、ズーム速度数値表示領域４３０には、ズームキー１０４を各押下レベルで押下した場合のズーム速度の設定値を数値（０〜１６の１７段階）で表示する。ズーム速度数値表示領域４３０に表示される各数値は、ズーム速度バー表示領域４１０に表示された各ズーム速度バーと対応づけて、各ズーム速度バーの下に表示される。なお、ズーム速度数値表示領域４３０を示す図中の点線は便宜上図示したものであって、表示部２８に表示されるものでは無い。
【００５２】
このようなユーザー設定確認画面によって、ユーザーは、ズームキー１０４をどの程度押下すると、どの程度のズーム速度でズームが行われるのかを確認することができる。ズーム速度バー表示領域４１０、ズーム速度数値表示領域４３０内の各表示要素の詳細については、図６を用いて後述する。
【００５３】
デジタルカメラ１００は工場出荷時にプリセットパターンを３つ、ユーザー設定番号１〜３に対応づけて不揮発性メモリ５６に記憶している。プリセットパターンは、各ユーザー設定番号の設定パターンを編集する前に各ユーザー設定番号を設定するか、各ユーザー設定番号の編集においてリセットの操作を行うことで呼び出すことができる。従って編集（カスタマイズ）の操作を一度も行っていない場合、あるいは各ユーザー設定番号についてリセットされた場合には、ユーザー設定確認画面には、ユーザー設定番号毎に予め記憶されたプリセットパターンが表示される。編集された場合、対象のユーザー設定番号に登録される設定パターンは変更されプリセットパターンではなくなるが、不揮発性メモリ５６におけるプリセットパターンの記憶は保持されており、リセットすることで再度プリセットパターンを登録することができる。
【００５４】
Ｓ３２２では、システム制御部５０は、ユーザー設定番号の切替指示があったか否かを判定する。ユーザー設定番号の切替指示は、ユーザー設定番号４０５を選択カーソルで選択した状態で左右キーを押下する操作によって行える。ユーザー設定番号の切替操作があった場合はＳ３２３に進み、そうでない場合にはＳ３２４に進む。Ｓ３２３では、システム制御部５０は、Ｓ３２２で行われた切替操作に応じてユーザー設定番号を切り替える。例えばユーザー設定１が設定されていた場合に左キーによる切替操作が行われた場合にはユーザー設定３に切り替え、右キーによる切替操作が行われた場合にはユーザー設定２に切り替える。ユーザー設定番号を切り替えると、Ｓ３１９に進んで、切替後のユーザー設定番号に登録された設定パターンを読み出し、読み出した設定パターンに基づいてＳ３２０、Ｓ３２１の処理を行い、ユーザー設定確認画面を更新する。
【００５５】
Ｓ３２４では、システム制御部５０は、設定パターンの編集指示があったか否かを判定する。編集指示は、編集ボタン４０７を選択カーソルで選択した状態で操作部７０に含まれるセットボタンを押下する操作によって行える。編集指示があった場合はＳ３２５に進み、そうでない場合にはＳ３２６に進む。Ｓ３２５では、システム制御部５０は、現在表示されている設定パターンをベースにユーザー設定編集処理（カスタマイズ処理）を行う。ユーザー設定編集処理については図８を用いて後述する。
【００５６】
Ｓ３２６では、システム制御部５０は、ズームキー１０４が押下されたか否かを判定する。ズームキー１０４が押下された場合はＳ３２７に進み、そうでない場合にはＳ３２８に進む。Ｓ３２７では、ズームキー１０４の押下量に従ったズーム速度でのズーム処理を行う。ズーム処理については図７を用いて後述する。
【００５７】
Ｓ３２８では、ＯＫボタン４０６の指示操作（選択カーソルで選択した状態で操作部７０に含まれるセットボタンを押下する操作）があったか否かを判定する。ＯＫボタン４０６の指示操作があった場合にはＳ３２９に進み、そうでない場合にはＳ３２２に戻って処理を繰り返す。Ｓ３２９では、システム制御部５０は、ユーザー設定確認画面で最後に表示されていたユーザー設定番号を現在の設定として確定し、不揮発性メモリ５６に記録する。続いて、ユーザー設定確認画面を非表示としてメニュー画面へ戻る（Ｓ３１１へ進む）。また、図３では省略したが、ユーザー設定確認画面において、システム制御部５０は、操作部７０に含まれる上キーまたは下キーへの操作に応じて、ユーザー設定番号４０５、ＯＫボタン４０６、編集ボタン４０７のいずれかに選択カーソルを移動させる。また、静止画の撮影ができてもよい。
【００５８】
図４（ｃ１）、図４（ｄ１）、図４（ｅ１）に示す、各プリセットパターンについて詳述する。
【００５９】
図４（ｃ１）に示すプリセットパターン（プリセットパターン１）は、押下レベル１〜５に対してそれぞれ「１」、「５」、「９」、「１３」、「１６」のズーム速度を割り当てるパターンである。押下レベルー１〜−５は、押下レベル１〜５と同じズーム速度で逆向きにズームするパターンである。押下レベルの最低値（押下レベル１）に対して、ズーム駆動可能な最低速度（１）が割り当てられており、押下レベルの最大値（押下レベル５）に対してズーム駆動可能な最高速度（１６）が割り当てられている。その他の押下レベルについては、押下レベルの増加量とズーム速度の増加量が略比例関係となるように設定されている（隣接するレベル間の速度差は４または３となっており、なるべく同じ数値としている）。このようなプリセットパターン１によれば、ズームキー１０４を軽く押下すれば遅い速度でズームされ、強く押下すれば速い速度でズームされ、中程度の力で押下すれば中程度の速度でズームされる。ズーム速度の変化量は押下する力に略比例するため、ユーザーはズーム速度と押下力の関係が理解しやすい。従って、低速から高速までのズーム速度を場面に応じて頻繁に切り替えて利用したいユーザーにとって使いやすいプリセットパターンである。
【００６０】
図４（ｄ１）に示すプリセットパターン（プリセットパターン２）は、押下レベル１〜５に対してそれぞれ「３」、「３」、「３」、「３」、「１６」のズーム速度を割り当てるパターンである。押下レベルー１〜−５は、押下レベル１〜５と同じズーム速度で逆向きにズームするパターンである。押下レベル１〜４では比較的低速（３）の同じズーム速度が割り当てられており、押下レベルの最大値（押下レベル５）ではズーム駆動可能な最高速度（１６）が割り当てられている。このようなプリセットパターン２によれば、ズームキー１０４を押し込みきるまで押下すれば最高速でズームされ、ズームキーを押し込みきることのない押下レベル４以下の強さで押下すれば、比較的低速の一定の速度でズームされる。最後まで押し込みきらずに押下することで、容易に比較的低速の一定の速度でのズームが行えるため、ズーム速度が頻繁に変化してしまい、映像が見難くなってしまうことを防止することができる。また、急いでズームしたい場合だけ、ズームキー１０４を最後まで押し込むことで高速のズームも行えるため、基本的には一定速度のズームを行いたいが、状況に応じて素早くズームすることも必要である場合に好適なプリセットパターンである。例えば、動画の撮影中（記録中）には記録される動画の品位を保つために一定速のズームを行い、動画の記録停止中（撮影待機中）に素早くズームして次の撮影に備える、といった使用方法に適している。なお、比較的低速な速度の例として３を説明したが、設定可能な最大値（１６）の半分（８）以下であれば他の値でもよい。
【００６１】
図４（ｅ１）に示すプリセットパターン（プリセットパターン３）は、押下レベル１〜５に対してそれぞれ「３」、「７」、「７」、「７」、「１６」のズーム速度を割り当てるパターンである。押下レベル−１〜−５は、押下レベル１〜５と同じズーム速度で逆向きにズームするパターンである。最小段階の押下レベル１では、比較的低速のズーム速度（３）が割り当てられている。押下レベル２〜４には、中速の同じズーム速度（７）が割り当てられている。押下レベルの最大段階（押下レベル５）には、ズーム駆動可能な最高速度（１６）が割り当てられている。このようなプリセットパターン３によれば、ズームキー１０４を押し込みきるまで押下すれば最高速でズームされ、ズームキーをごく軽く押下すれば比較的低速でズームされる。それらの中間の押下レベルの広い範囲のいずれかで押下している場合は、ズーム速度は変わらないため、一定速のズームも行いやすい。このようなプリセットパターン３は、基本的にはプリセットパターン２と同じような場面で用いると好適であるが、低速（３）と、それよりやや速いズーム速度（７）の使い分けぐらいは行いたい場合に特に好適である。低速よりもやや速いズーム速度は、割当可能な最高速度のズーム速度１６の半分以下であり、動画の記録中に低速とそれよりやや速い速度とを使い分けたとしても動画が見難くならない程度のズーム速度となっている。なお、プリセットパターン３として「３、７、７、７、１６」を例に挙げたが、「１、５、５、５、１６」や「０、７、７、７、１６」でもよいものとする。「１、７、７、７、１６」の場合は、押下量が最小の時にはゼロではない最低速（最小値の速度）で動作し、「０、７、７、７、１６」の場合は、押下量が最小の時には動作しない。「０、７、７、７、１６」のような設定を用意することで、最初の押し込み（押しこみ量１〜２５）を不感帯として扱うことができ、軽くズームキー１０４に触れただけで不用意にズームが行われてしまうことを防止することができる。
【００６２】
なお、ユーザー設定確認画面は、図４（ｃ１）、図４（ｄ１）、図４（ｅ１）に図示した例に限らず、３つのユーザー設定を同一画面に表示した、図４（ｂ）のような表示としてもよい。ユーザー１〜３とそれぞれの設定状況を示すズーム速度バーを同一画面に表示し、左側の三角のカーソルを上下に移動することでいずれかのユーザー設定を選択する。そして、操作部７０に含まれるセットボタンを押下することによって選択したユーザー設定の編集画面を表示する。
【００６３】
図５に、図３のＳ３２０のズーム速度設定詳細表示処理の詳細フローチャートを示す。この処理は、前述のズーム速度バー表示領域４１０とズーム速度数値表示領域４３０における各表示要素を表示する処理である。
【００６４】
Ｓ５０１では、システム制御部５０は、不揮発性メモリ５６に記憶された設定情報を参照し、ズーム速度の種別がユーザー設定（「ユーザー」）に設定されているか否かを判定する。ズーム速度の種別がユーザー設定である場合にはＳ５０２に進み、そうでない場合には処理を終了する。すなわち、前述のズーム速度バー表示領域４１０とズーム速度数値表示領域４３０は、ズーム速度の種別がユーザー設定に設定されていない場合は表示しない。
【００６５】
Ｓ５０２では、各押下レベルのカウンタとして用いる変数ｉを１に初期化する。
【００６６】
Ｓ５０３では、システム制御部５０は、押下レベルｉに割り当てられている速度Ｖ（ｉ）が０であるか否かを判定する。Ｖ（ｉ）が０である場合にはＳ５０４に進み、そうでない場合にはＳ５０６に進む。
【００６７】
Ｓ５０４では、システム制御部５０は、ズーム速度数値表示領域４３０のうち、押下レベルｉ、押下レベル−ｉに対応する位置に、速度数値０を表示する。
【００６８】
Ｓ５０５では、システム制御部５０は、ズーム速度バー表示領域４１０のうち、押下レベルｉ、押下レベル−ｉに対応する位置に、高さをＨ０としたバー状の矩形（速度バー）を表示する。Ｈ０とは、例えば７ピクセルである。
【００６９】
Ｓ５０６では、システム制御部５０は、ズーム速度数値表示領域４３０のうち、押下レベルｉ、押下レベル−ｉに対応する位置に、Ｖ（ｉ）の数値を表示する。
【００７０】
Ｓ５０７では、システム制御部５０は、ズーム速度バー表示領域４１０のうち、押下レベルｉ、押下レベル−ｉに対応する位置に、高さを、Ｖ（ｉ）＊Ｈ２としたバー状の矩形を表示する。Ｈ２は前述のＨ０よりも大きいものとし、例えば２０ピクセルである。例えば、押下レベルｉに割り当てられたズーム速度Ｖ（ｉ）が３である場合には、３＊２０＝６０ピクセルの高さのバー状の矩形が表示される。
【００７１】
Ｓ５０８では、システム制御部５０は、変数ｉが押下レベルの最大値である５に達したか否かを判定する。５に達していない場合にはＳ５０９で変数ｉを１インクリメントしてＳ５０３からの処理を繰り返す。変数ｉが５に達した場合は、全ての押下レベルの速度数値と速度バーを表示したため、処理を終了する。こうして、図４（ｃ１）、図４（ｄ１）、図４（ｅ１）に示したようなズーム速度バー表示領域４１０の各速度バーとズーム速度数値表示領域４３０の各速度数値が表示される。
【００７２】
図６（ａ）〜図６（ｅ）を用いて、ズームキー１０４の押下に応じた、ズームキー１０４の押下量を示す指標の表示と速度バーの表示の遷移を説明する。図６（ａ）〜図６（ｅ）の各図は、図４で説明したズーム速度バー表示領域４１０と、ズーム速度数値表示領域４３０の部分だけを抜き出して図示したものであり、ＬＶ画像などの図示は省略している。アイコン４１６は、右側の速度バー４１１〜４１５、数値領域４３１〜４３５がテレ側への操作に対応するものであることを示すガイド表示である。アイコン４２６は左側の速度バー４２１〜４２５、数値領域４４１〜４４５がワイド側への操作に対応するものであることを示すガイド表示である。速度バー４１１〜４１５はそれぞれ、テレ側への押下レベル１〜５に対応している。速度バー４２１〜４２５はそれぞれ、ワイド側への押下である押下レベル−１〜−５に対応している。数値領域４３１〜４３５はそれぞれ、テレ側への押下レベル１〜５に対応している。数値領域４４１〜４４５はそれぞれ、ワイド側への押下である押下レベル−１〜−５に対応している。指標４２０は、左右方向の位置によって、その時点でのズームキー１０４の押下量を、押下レベルよりも細かい単位で示している。
【００７３】
図６（ａ）と図６（ｂ）は、押下レベル１〜５に、それぞれズーム速度２，４，６，１２，１６を割り当てた例である。このような割当状況で、テレ側へ押下レベル２となる押下量でズームキー１０４を押下した場合（第１操作部分１０５ａを押下した場合）、図６（ａ）のように表示される。図６（ａ）において、指標４２０が押下レベル２に対応する速度バー４１２の内部に表示されており、かつ、速度バー４１２のなかでも中央より左側に表示されている。これによって、現在の押下量は押下レベル２であり、かつ、押下量は押下レベル２の中でも弱めである（押下レベル２での中央値より弱い）ことがわかる。これによって押下量をこれ以上弱めると押下レベル１に変化してズーム速度が遅くなり、逆に押下量を多少強めても押下レベル３まではまだ余裕があるためズーム速度を保持しやすいことがわかる。また、押下レベル２に対応する速度バー４１２の表示形態が他の速度バーと異なり強調して表示されているため、現在は速度バー４１２に対応するズーム速度で制御されていることをユーザーが認識可能である。例えば、速度バー４１２は強調表示としてオレンジ色で表示され、他の速度バーは通常表示として白色で表示される。
【００７４】
ズームキー１０４を、ワイド側へ押下レベル−５となる押下量で押下した場合（第２操作部分１０５ｂを押下した場合）は、図６（ｂ）のように表示される。指標４２０が押下レベル−５に対応する速度バー４２５の内部に表示されており、かつ、速度バー４２５のなかでも中央より右側に表示されている。これによって、現在の押下量は押下レベル−５であり、かつ、押下量は押下レベル−５の中でも弱めである（押下レベル−５での中央値より弱い）ことがわかる。これによって押下量をこれ以上弱めると押下レベル４に変化してズーム速度が遅くなることがわかる。また、押下レベル−５に対応する速度バー４２５の表示形態が他の速度バーと異なり強調して表示されているため、現在は速度バー４２５に対応するズーム速度で制御されていることをユーザーが認識できる。
【００７５】
図６（ｃ）は、押下レベル１〜５に、それぞれズーム速度２，６，６，１２，１６を割り当てた例である。すなわち、押下レベル２と押下レベル３には同じズーム速度が割り当てられている。このような割当状況で、テレ側へ押下レベル２となる押下量でズームキー１０４を押下した場合、図６（ｃ）のように表示される。図６（ｃ）において、指標４２０が押下レベル２に対応する速度バー４１２の内部に表示されており、かつ、速度バー４１２のなかでも中央より右側に表示されている。これによって、現在の押下量は押下レベル２であり、かつ、押下量は押下レベル２の中でも強めである（押下レベル２での中央値より強い）ことがわかる。また、押下レベル２に対応する速度バー４１２の表示形態が他の速度バーと異なり強調して表示されている。さらに、押下レベル２と同じズーム速度が割り当てられている押下レベル３に対応する速度バー４１３の表示形態も速度バー４１２と同様の表示形態となり、他の速度バーと異なり強調して表示されている。このように、現在の押下量に対応する押下レベルだけでなく、同じズーム速度が割り当てられている他の押下レベルに対応する速度バーも強調表示する。このような表示によってユーザーは、現在の押下量に対応する押下レベルがどれであるか、及び、同じズーム速度が割り当てられた他の押下レベルを認識することができる。本実施形態のように、押下レベルの低い方から高い方に向かって（すなわち操作量の段階順に）ズーム速度が昇順で並ぶ場合には、同じ設定値（ズーム速度）となっている範囲（押下レベル２〜３の範囲）を容易に確認可能となる。また、異なる設定値となる変化点（押下レベル１から２へ変化する点、及び、押下レベル３から４へ変化する点）を容易に識別可能となる。図６（ｃ）のように現在の押下量に対応する押下レベルが複数であることが分かった場合には、現在のズーム速度を保った一定速度のズームを行う場合に、押下量が多少変動しても問題が無いことが認識できる。例えば図６（ｃ）の状況であれば、次の押下レベルまで押下量を上げてもズーム速度が変わらないことが認識でき、ズーム速度を保持したい場合にさほど慎重に操作しなくても良いことが分かる。より詳しくは、ズーム速度を保持したい場合に、押下量を少し上げて次の押下レベルに達しても問題無いため、押下量を下げないようにだけ気を付けて押下量を保持すればよいことがわかり、ズーム速度を保持するような操作を行いやすい。逆に、ズーム速度を上げたいのであれば押下量を現在の押下レベルから２段階分上げなければならないことがわかる。図６（ａ）のように、現在の押下量に対応する押下レベルが１つであることが分かった場合には、現在のズーム速度を保った一定速度のズームを行うのであれば、押下量を慎重に現在のレベルに保つ必要があることが認識できる。
【００７６】
図６（ｄ）は、押下レベル１〜５に、それぞれズーム速度０，０，６，１２，１６を割り当てた例である。すなわち、押下レベル１と押下レベル２には同じズーム速度「０」が割り当てられている。このような割当状況で、テレ側へ押下レベル１となる押下量でズームキー１０４を押下した場合、図６（ｄ）のように表示される。図６（ｄ）において、指標４２０が押下レベル１に対応する速度バー４１１の内部に表示されている。これによって、現在の押下量は押下レベル１であることがわかり、ズーム駆動はされないがズームキー１０４を押下する操作はデジタルカメラ１００に正しく受け付けられていることがわかる。ただし、押下レベル１に対応する速度バー４１１の表示形態は他の速度バーと同じ表示形態であり、強調表示はされない。さらに、押下レベル１と同じズーム速度が割り当てられている押下レベル２に対応する速度バー４１３の表示形態も強調表示されない。これは、割り当てられているズーム速度が０であり、ズームキー１０４が押下されているものの、ズーム駆動は行われないためである。仮にこの場合に速度バー４１１を強調表示すると、ユーザーは速度バー４１１の高さに対応する速度でズーム駆動が行われるはずであるが、行われていないため、デジタルカメラ１００が故障などの異常状態であると誤認識してしまう可能性がある。しかし速度バーの強調表示をしないため、ズーム駆動が起こらないのは異常ではなく正常な応答であることを認識することができる。また、速度０の割り当たっている押下レベル１，２に対応する速度バーも、表示の高さを０としないことで、押下レベル１，２の対応位置が空白となってしまうことを防止し、押下レベル１，２の対応位置を明確に示すことができる。また、指標４２０の表示位置は押下量に応じて変わるため、押下したこと自体は装置によって正常に検知されていることをユーザーが認識することができる。
【００７７】
図６（ｅ）は、図６（ｄ）と同じ割当状況で、ズームキー１０４が押下されていない場合の表示例である。指標４２０がどの速度バーの内部でもない左右中央位置に表示されているため、現在はズームキー１０４の押下は検知されていない（押下量０である）ことがわかる。
【００７８】
図７に、前述した図３のＳ３０５、Ｓ３２７、後述する図８のＳ８０３で行われるズーム処理の詳細フローチャートを示す。この処理は、ズームキー１０４が押下された場合に、押下量に応じたズーム速度でズーム駆動するとともに、検知している押下量、対応する押下レベルを表示部２８に表示する処理であり、ユーザー操作への応答処理である。この処理によって、図６（ａ）〜図６（ｅ）で説明した表示が実現される。なお、Ｓ３０５のタイミングでのズームキー１０４の押下によるズーム処理では、後述する速度バーと指標に関する表示は、後述するズーム速度バーの簡易表示に対して行われる。Ｓ３２７、後述する図８のＳ８０３のタイミングでのズームキー１０４の押下によるズーム処理では、後述する速度バーと指標に関する表示は、前述の詳細表示に対して行われ、前述の図６（ａ）〜図６（ｅ）で説明した表示形態となる。後述する図７の各ステップに対応する表示例は、詳細表示の際の対応例である。図７の処理は、動画の記録中であっても停止中（待機中）であっても行われる。
【００７９】
Ｓ７０１では、システム制御部５０は、検知しているズームキー１０４の押下量に対応する左右位置に、その押下量に対応する速度バーと同じ高さで、現在の押下量（押下度合い）を示す指標（インジケーター）を表示する。これによって、前述の図６（ａ）〜図６（ｄ）で説明したように指標４２０が表示される。
【００８０】
Ｓ７０２では、システム制御部５０は、検知しているズームキー１０４の押下量に対応する押下レベルＮに割り当てられた設定速度Ｖ（Ｎ）が０であるか否かを判定する。Ｖ（Ｎ）が０である場合には、ズームキー１０４への押下を検知していたとしてもズーム駆動は行わず、また、速度バーの強調表示（識別表示）も行わずに、Ｓ７１１に進む。Ｖ（Ｎ）が０でない場合にはＳ７０３へ進む。
【００８１】
Ｓ７０３では、システム制御部５０は、ズーム速度Ｖ（Ｎ）でズーム駆動を行うように、ズーム制御部２０１を制御する。ズームの方向は、検知された押下量に対応する押下レベルＮが＋であればテレ側（ズームイン）、−であればワイド側（ズームアウト）となる。なお、ズーム位置が既にテレ端（望遠端）に達していた場合にズームキー１０４のテレ側への操作を検知しても、ズーム駆動は行わない。また、ズームキー１０４のテレ側への操作に応じたズーム駆動途中でテレ端（望遠端）に達した場合にはそこでズームを停止する。また、ズーム位置が既にワイド端（広角端）に達していた場合にズームキー１０４のワイド側への操作を検知しても、ズーム駆動は行わない。また、ズームキー１０４のワイド側への操作に応じたズーム駆動途中でワイド端（広角端）に達した場合にはそこでズームを停止する。
【００８２】
Ｓ７０４では、システム制御部５０は、各押下レベルのカウンタとして用いる変数ｉを−５に初期化する。
【００８３】
Ｓ７０５では、システム制御部５０は、押下レベルｉ（操作量のｉ段階目）に割り当てられたズーム速度Ｖ（ｉ）が、現在検知している押下レベルＮ（操作量のＮ段階目）に割り当てられたズーム速度Ｖ（Ｎ）と同じであるか否かを判定する。速度が同じか否かは、速度の符号も加味して判定する。すなわち、絶対値が同じだが、ズーム方向がそれぞれワイド側とテレ側となり異なる場合には、Ｓ７０５では同じズーム速度と判定しない。Ｖ（ｉ）とＶ（Ｎ）同じであればＳ７０６に進み、そうでない場合にはＳ７０７に進む。
【００８４】
Ｓ７０６では、システム制御部５０は、押下レベルｉの速度バーを識別表示（強調表示）する。識別表示とは、例えば、識別表示しない速度バーを白で表示している場合に、異なる色であるオレンジで表示する処理である。また、色の変更に限るものではなく、太枠（太い枠線）で表示する、形状を変更する、矢印で示す等でも良い。識別表示は、押下レベルｉが、現在検知している押下レベルＮと同じ押下レベルであっても、異なる押下レベルであっても行われる。これによって、前述の図６（ａ）の速度バー４１２、図６（ｂ）の速度バー４２５、図６（ｃ）の速度バー４１２と４１３のような識別表示が行われる。
【００８５】
Ｓ７０７では、システム制御部５０は、変数ｉが−１に達したか否かを判定する。ｉ＝−１になった場合（ワイド側の全押下レベルについて確認が終了した場合）には、Ｓ７０８に進んで変数ｉに１をセットし（すなわち０をスキップしてテレ側の押下レベルの確認に進む）、Ｓ７０５からの処理を繰り返す。Ｓ７０９では、システム制御部５０は、変数ｉが５に達したか否かを判定する。変数ｉが５になっていない場合にはＳ７１０に進んで変数ｉを１つインクリメントし、Ｓ７０５からの処理繰り返す。変数ｉが５に達した場合（ワイド側に続いてテレ側の全押下レベルについても確認が終了した場合）にはＳ７１１に進む。
【００８６】
Ｓ７１１では、ズームキー１０４の押下が解除された（押下量が０になった）か否かを判定する。ズームキー１０４の押下が解除されていない場合にはＳ７０１に進んで所定の周期で処理を繰り返す。これは、ズームキー１０４の押下が継続している間は、ズームキー１０４の押下量が変わる可能性があるためである。すなわち、Ｓ７０１〜Ｓ７１０の処理によるズーム駆動と表示は、ズームキー１０４への押下量の変動に追従して動的に変化する。ズームキー１０４の押下が解除されるとＳ７１２に進む。
【００８７】
Ｓ７１２では、システム制御部５０は、ズーム駆動を停止する。なお、既にテレ端かワイド端に達してズーム駆動が停止していた場合には何もしない。
【００８８】
Ｓ７１３では、システム制御部５０は、各表示状態をズームキー１０４の非押下状態に戻す。具体的には、指標の表示位置を、ワイド側の速度バーとテレ側の速度バーの中央の位置に表示し、ズームキー１０４が押下されていない状態であることを示すようにする。また、Ｓ７０６で行った速度バーの識別表示を解除する。これによって、前述の図６（ｅ）のような表示が行われる。
【００８９】
図８に、前述した図３のＳ３２５で行われるユーザー設定編集処理の詳細フローチャートを示す。この処理は、押下レベル毎に割り当てられるズーム速度を、ユーザーの操作に基づいてカスタマイズする処理である。この処理は、不揮発性メモリ５６に記録されたプログラムをシステムメモリ５２に展開し、システム制御部５０が実行することにより実現する。
【００９０】
Ｓ８０１では、編集画面（ユーザー設定編集画面）を表示部２８に表示する。編集画面は、ユーザー設定編集処理に遷移する直前に表示していたユーザー設定確認画面で示されていた押下レベル毎のズーム速度の割当パターンをベースに表示される。すなわち、ユーザー設定確認画面として前述の図４（ｃ１）が表示されていた場合には編集画面として図４（ｃ２）が表示される。ユーザー設定確認画面として前述の図４（ｄ１）が表示されていた場合には編集画面として図４（ｄ２）が表示される。ユーザー設定確認画面として前述の図４（ｅ１）が表示されていた場合には編集画面として図４（ｅ２）が表示される。各編集画面においては、ワイド側に対応する速度バーとテレ側に対応する速度バーを含むズーム速度バー表示領域４１０が表示される。なお、ズーム速度バー表示領域４１０を示す点線枠は便宜上図示したものであり、表示されるものではない。各押下レベルに対応するズーム速度の数値領域はテレ側の分のみ（押下レベル１〜５に対応する分）のみが表示される。ワイド側を表示しないのは、本実施形態ではテレ側を設定するとワイド側も対象関係となるように、符号が逆で絶対値が同じ速度レベル対して、自動的に同じ絶対値のズーム速度（符号、すなわちズーム方向は逆）が設定されるためである。数値領域４５１〜４５５はそれぞれ、押下レベル１〜５に対応する。リセットボタン４５０は、ユーザーのカスタマイズをクリアし、全押下レベルに割り当てるズーム速度を、上述のプリセット１〜３のうちユーザー設定番号に対応するプリセットに戻す指示を受け付ける表示アイテムである。ＳＥＴアイコン４５６は、ユーザー設定編集処理を確定して終了する指示を受け付ける表示アイテムである。また、他の表示例で説明したものと同じものには同じ符号をふっているため説明を省略する。
【００９１】
リセットボタン４５０、数値領域４５１〜４５５、ＳＥＴアイコン４５６のいずれか１つを左右キーの操作に応じてカーソルを移動することで選択することができる。図４（ｃ２）、図４（ｄ２）、図４（ｅ２）はそれぞれ、数値領域４５１が選択された状態を示している。数値領域４５１〜４５５のいずれかが選択された状態で操作部７０に含まれる上下キーを押下することで、対応する押下レベルに割り当てるズーム速度を増減して変更することができる。
【００９２】
Ｓ８０２では、システム制御部５０は、ズームキー１０４が押下されたか否かを判定する。ズームキー１０４が押下されたと判定するとＳ８０３に進み、図７で前述したズーム処理を行う。すなわち、編集画面であってもズームキー１０４が押下されると、図６、図７で説明したような押下量に応じたズーム駆動、検知している押下量を示す指標の表示、対応するズーム速度が割り当てられた押下レベルの速度バーの識別表示が行われる。この処理は、編集処理が確定される前であっても、その時点で数値領域４５１〜４５５に表示されている数値のズーム速度で行われる。これによって、ユーザーは、編集途中のカスタマイズ状況でどのようなズーム処理が行われるのかを確認しながらズーム速度のカスタマイズを行うことができる。
【００９３】
Ｓ８０４では、システム制御部５０は、操作部７０に含まれる右左キーの押下（すなわち、カーソルの移動指示、選択項目の変更指示）があったか否かを判定する。右左キーの押下があった場合にはＳ８０５に進み、そうでない場合にはＳ８０６に進む。Ｓ８０５では、システム制御部５０は、左右キー操作に応じてカーソルを移動し、リセットボタン４５０、数値領域４５１〜４５５、ＳＥＴアイコン４５６のいずれか１つを選択状態にする。
【００９４】
Ｓ８０６では、システム制御部５０は、操作部７０に含まれる上キーまたは下キーの押下（すなわち、割当速度の変更指示）があったか否かを判定する。上下キーの押下があった場合にはＳ８０７に進み、そうでない場合にはＳ８０８に進む。
【００９５】
Ｓ８０７では、上キーまたは下キーの操作に応じて、現在選択状態となっている（現在カーソルのある）数値領域の数値を増加または減少させる。本実施形態では、０〜１６のいずれかに設定できる。これによって、現在選択状態となっている数値領域に対応する押下レベルに割り当てられるズーム速度が変更される。なお、数値領域が選択状態となっていない場合（リセットボタン４５０またはＳＥＴアイコン４５６が選択されている場合）はこの処理は行われない。
【００９６】
なお、システム制御部５０は、テレ側の各押下レベルに割り当てられるズーム速度を、１つ下の押下レベルの値以上、かつ、１つ上の押下レベルの値以下となるように制御する。例えば、押下レベル４に割り当てられるズーム速度は、押下レベル３に割り当てられているズーム速度未満とならないようにシステム制御部５０が制御する。より具体的には、押下レベル３に割り当てられているズーム速度が７である状態において、押下レベル４に割り当てられるズーム速度を９から８に減少させる操作があったとする。この操作に応じて、押下レベル３に割り当てられたズーム速度を変更することなく、押下レベル４に割り当てられたズーム速度を８に変更する。また、押下レベル４のズーム速度を７から６（押下レベル３に割り当てられているズーム速度未満）に変更する操作に応じて、押下レベル４に割り当てられるズーム速度を６に変更する。なおかつ、押下レベル３に割り当てられているズーム速度も押下レベル４に割り当てられたズーム速度と同じ６に変更する。
【００９７】
押下レベル３のズーム速度を押下レベル４に合わせて変更するタイミングは、押下レベル４のズーム速度の増減操作に連動させてもよいが、押下レベル４のズーム速度が確定したと想定できるタイミングとするとより好適である。例えば、左右キーに応じてカーソルを押下レベル４から別の箇所に移動したタイミングで、次に記述する処理を行うとよい。押下レベル４に割り当てられたズーム速度が押下レベル３に割り当てられたズーム速度を下回っていたら、押下レベル３のズーム速度を押下レベル４に割り当てられたズーム速度と同じズーム速度に変更する。同時に、変更後の押下レベル３のズーム速度が押下レベル２のズーム速度を下回るのであれば、押下レベル２に割り当てられたズーム速度も押下レベル３、４のズーム速度と同じズーム速度に変更する。同様に、押下レベル１のズーム速度も押下レベル２のズーム速度を超えないように必要に応じて調整する。逆に、押下レベル４のズーム速度が押下レベル５に割り当てられたズーム速度を超えていたら、押下レベル５に割り当てられたズーム速度を、押下レベル４に割り当てられたズーム速度と同じズーム速度に変更する。
【００９８】
なお、上述ようにするのではなく、割り当てるズーム速度の調整中に、１つ下の押下レベルのズーム速度を下回らないよう、また、１つ上の押下レベルのズーム速度を上回らないように制限しても良い。例えば、押下レベル３に割り当てられているズーム速度が７である状態において、押下レベル４に割り当てられるズーム速度を減少させる操作（下キー押下）があった場合に押下レベル４のズーム速度を７未満には変更できないように制限する。
【００９９】
このようにすることで、高い押下レベルに割当れられたズーム速度は、低い押下レベルに割り当てられたズーム速度以上であるという関係が成り立つような設定とする。すなわち、ズームキー１０４を押下する力を強めた場合にズーム速度が低下するようなことがないようにする。
【０１００】
Ｓ８０８では、システム制御部５０は、リセットボタン４５０が選択された状態で、操作部７０に含まれるセットボタンが押下された（すなわちリセット指示があった）か否かを判定する。リセット指示があった場合はＳ８０９に進み、そうでない場合はＳ８１０に進む。
【０１０１】
Ｓ８０９では、システム制御部５０は、ユーザーにカスタマイズされた各押下レベルのズーム速度をすべてクリアし、現在編集中のユーザー設定番号に対応するプリセットパターンにリセットする。プリセットパターンは、不揮発性メモリ５６に記憶されている。すなわち、ユーザー設定番号１の編集中であればプリセットパターン１に、ユーザー設定番号２の編集中であればプリセットパターン２に、ユーザー設定番号３の編集中であればプリセットパターン３に設定する。
【０１０２】
Ｓ８１０では、システム制御部５０は、ＳＥＴアイコン４５６が選択された状態で、操作部７０に含まれるセットボタンが押下された（すなわち確定指示があった）か否かを判定する。確定指示があった場合は処理を終了してユーザー設定確認画面に戻り、そうでない場合はＳ８０２に戻って処理を繰り返す。
【０１０３】
図９に、図３のＳ３０２で前述したズーム速度設定簡易表示処理の詳細フローチャートを示す。この処理は、不揮発性メモリ５６に記録されたプログラムをシステムメモリ５２に展開してシステム制御部５０が実行することにより実現する。撮影待機画面では被写体を確認しながら動画の撮影を行うため、ユーザー設定確認画面、ユーザー設定編集画面のように各速度バーをＬＶ画像に重畳して大きく表示してしまうと、被写体視認の妨げとなってしまう。そのため、ズーム速度設定簡易表示処理では、少なくとも同一の設定状況において、図５を用いて説明したズーム速度設定詳細表示処理よりも、各速度バーの表示面積を小さくして表示する。また、全速度バーの総面積もズーム速度設定詳細表示処理よりも小さくなる。ただし、ユーザー設定確認画面、ユーザー設定編集画面で説明した速度バー群を単に縮小して表示するのでは、各速度バーが小さくて視認性が悪くなる。より具体的には、各速度バー間の高さの差が小さくなるため、速度バーの高さから速度差を判別しにくくなる。そこで本実施形態では、各押下レベルのうち、片側隣の押下レベルと割り当てられたズーム速度に差分があるものの数に基づいて、各速度バーの相対的な速度差を識別しやすくした簡易的な表示を行う。
【０１０４】
Ｓ９０１では、システム制御部５０は、ズーム速度の種別がユーザー設定（「ユーザー」）であるか否かを判定する。ユーザー設定である場合にはＳ９０２に進み、そうでない場合には処理を終了する。すなわち、本実施形態ではズーム速度の種別がユーザー設定でない場合には、そもそもズーム速度設定の簡易表示は行わない。ただし、ズーム速度の種別に関わらず表示するようにしてもよい。
【０１０５】
Ｓ９０２では、システム制御部５０は、不揮発性メモリ５６から、現在設定されているユーザー設定番号に登録されたズームキー１０４の押下量毎（押下レベル毎）のズーム速度の設定値（各押下レベルに割り当てられたズーム速度の設定パターン）を読み出す。
【０１０６】
Ｓ９０３では、システム制御部５０は、各押下レベルのうち、片側隣の押下レベルに割り当てられたズーム速度と当該押下レベルに割り当てられたズーム速度とに差分があるものの数をカウントするカウンタとして用いる変数ｂを０に初期化する。また、各押下レベルのカウンタとして用いる変数ｉを１に初期化する。
【０１０７】
Ｓ９０４では、システム制御部５０は、押下レベルｉに割り当てられている速度Ｖ（ｉ）と、その隣の押下レベルである押下レベル（ｉ＋１）に割り当てられている速度Ｖ（ｉ＋１）とに差があるか否かを判定する。より詳しくは、速度Ｖ（ｉ）−速度Ｖ（ｉ＋１）がゼロであるか否かを判定する。速度Ｖ（ｉ）−速度Ｖ（ｉ＋１）がゼロでない場合（差がある場合）には、Ｓ９０５に進み、変数ｂに１を加算してＳ９０６に進む。この場合、押下レベルｉには、押下レベルが上側の１つ隣の押下レベルと異なるズーム速度が設定されている。速度Ｖ（ｉ）−速度Ｖ（ｉ＋１）がゼロである場合（差が無い場合）には、変数ｂを加算することなくＳ９０６に進む。この場合、押下レベルｉには、押下レベルが上側の一つ隣の押下レベルと同じズーム速度が設定されている。
【０１０８】
Ｓ９０６では、システム制御部５０は、変数ｉが押下レベルの最大値より１つ小さい４（上側のひとつ隣の押下レベルが存在する押下レベルの最大値）に達したか否かを判定する。４に達していない場合にはＳ９０７で変数ｉを１インクリメントしてＳ９０４からの処理を繰り返す。Ｓ９０４〜Ｓ９０７の処理を繰り返すことにより、ｂの値が定まり、各押下レベルに割り当てられたズーム速度の設定値の中で異なる設置値の数（片側隣の押下レベルに割り当てられたズーム速度と異なるズーム速度が割り当てられた押下レベルの数）がわかる。変数ｉが４に達した場合は、設定されたズーム速度について隣の押下レベルと差があるか、について全て確認が終了したため、Ｓ９０８に進む。
【０１０９】
Ｓ９０８では、システム制御部５０は、各押下レベルのカウンタとして用いる変数ｉを１に初期化する。
【０１１０】
Ｓ９０９では、システム制御部５０は、押下レベルｉに割り当てられている速度Ｖ（ｉ）がゼロであるか否かを判定する。ゼロである場合にはＳ９１０に進み、そうでない場合にはＳ９１１に進む。
【０１１１】
Ｓ９１０では、システム制御部５０は、押下レベルｉ、−ｉの速度バーとして、高さｈ０（例えば７ピクセル）のグレーのバー状の矩形を表示する。ｈ０とは、前述のＳ５０５で説明したＨ０以下の数値であるものとする。このように、簡易表示においても、速度０の割り当たっている押下レベルに対応する速度バーを、表示の高さを０とせずにｈ０の高さで表示することで、速度０の割り当たっている押下レベルの対応位置を空白とせずに示すことができる。また、グレーで表示するため、無効な状態、すなわち、この押下レベルではズームが行われない（ズーム速度０が割り当たっている）ことをユーザーに認識させることができる。
【０１１２】
Ｓ９１１では、システム制御部５０は、変数ｉが１であるか否かを判定する。変数ｉが１である場合、すなわち押下レベル１についての処理である場合にはＳ９１２に進み、そうでない場合はＳ９１３に進む。
【０１１３】
Ｓ９１２では、システム制御部５０は、押下レベルｉ、−ｉの速度バー（ここでは、押下レベル１、−１の速度バー）として、高さｈ１（＞ｈ０、例えば１４ピクセル）の白色（通常表示形態）のバー状の矩形を表示する。ｈ１とは、前述のＳ９１０で説明したｈ０よりも大きい数値であり、前述のＨ２よりも小さい数値であるものとする。前述した通り、高い押下レベルに割当てられたズーム速度は、低い押下レベルに割り当てられたズーム速度以上である。すなわち、最も低い押下レベルである押下レベル１には、他の押下レベルの中で最も低いズーム速度が割り当てられている。また、Ｓ９０９でＮｏと判定されているため、割り当てられたズーム速度は０よりも大きい。ズーム速度設定簡易表示処理では、押下レベル１に割り当てられたズーム速度が０より大きければ、その大小に関わらず、押下レベル１の速度バーは固定値のｈ１の高さで表示する。そして、押下レベル１よりも大きい押下レベルの速度バーは、押下レベル１の速度バーとの相対的な大小関係がわかるように表示する。このようにすることで、各押下レベルに割り当てられたズーム速度が全体的に大きい場合でも、速度バーの表示面積（高さ）を小さく抑えることができ、背景のＬＶの視認性の妨げを低減することができる。
【０１１４】
Ｓ９１３では、システム制御部５０は、押下レベルｉ、−ｉの速度バー（押下レベル２以上、押下レベル−２未満の速度バー）として、押下レベル（ｉ―１）の速度バー（押下レベルが１つ下の速度バー）の高さよりも（ｋ＊ｈ２）だけ高い矩形を表示する。ここで、ｈ２は所定値であり、例えば４ピクセルである。ここで、大小関係はｈ２＜ｈ１＜Ｈ２を満たすものとする。ｋは、前述のＳ９０４〜Ｓ９０７の処理でカウントした変数ｂと、現在処理対象となっている押下レベルと１つ下の押下レベルとに割り当てられたズーム速度の差である｛Ｖ（ｉ）−Ｖ（ｉ−１）｝に基づく段数である。図１１に、変数ｂと｛Ｖ（ｉ）−Ｖ（ｉ−１）｝によって決まる段数の対応関係を示す表を図示する。図１１に示す関係は予め不揮発性メモリ５６に記録されており、システム制御部５０は、変数ｂ、｛Ｖ（ｉ）−Ｖ（ｉ−１）｝、不揮発性メモリ５６に記録された図１１のような関係を示す情報に基づいて、段数ｋを取得する。例えば、押下レベル１〜５に割り当てられたズーム速度が全て異なる場合には、ｂ＝４となる。そして、Ｓ９１３でｉ＝３であり、押下レベル３に割り当てられたズーム速度が９、押下レベル２に割り当てられたズーム速度が６である場合には、｛Ｖ（ｉ）−Ｖ（ｉ−１）｝＝｛９−６｝＝３となる。従って、図１１より、ｋ＝１が得られる。この場合、押下レベル３の速度バーの高さが、押下レベル２の速度バーの高さよりも、（ｋ＊ｈ２）＝ｈ２の分だけ大きい高さと決定し、押下レベル３の速度バーを表示する。また、例えば押下レベル１〜５に割り当てられたズーム速度がそれぞれ１，２，２，２、１６である場合（図１０（ｂ２）に図示するケース）で、ｉ＝２である場合は、変数ｂ＝２、｛Ｖ（ｉ）−Ｖ（ｉ−１）｝＝１となる。従って、図１１より、ｋ＝１が得られる。この場合、押下レベル２の速度バーの高さが、押下レベル１の速度バーの高さ（この高さは、Ｖ（１）＝１であるためｈ１、すなわち１４ピクセル）よりも、（ｋ＊ｈ２）＝ｈ２ピクセル大きい高さと決定する。すなわち、速度レベル２の速度バーの高さは、ｈ１＋ｈ２＝１４＋４＝１８ピクセルとなる。また、同じ割当状況でのｉ＝３の処理では、変数ｂ＝２、｛Ｖ（ｉ）−Ｖ（ｉ−１）｝＝０となる。従って、図１１より、ｋ＝０が得られる。この場合、押下レベル２の速度バーよりも、（ｋ＊ｈ２）＝０ピクセル大きい高さと決定する。すなわち、速度レベル３の速度バーの高さは、速度レベル２の速度バーと同じ１８ピクセルとなる。さらに、同じ割当状況でのｉ＝５の処理では、変数ｂ＝２、｛Ｖ（ｉ）−Ｖ（ｉ−１）｝＝１４となる。従って、図１１より、ｋ＝３が得られる。この場合、押下レベル２の速度バーの高さが、押下レベル４の速度バーの高さ（Ｖ（４）＝Ｖ（２）であるため、押下レベル２の速度バーと同じ高さの１８ピクセル）よりも、（ｋ＊ｈ２）＝１２ピクセル大きい高さと決定する。すなわち、速度レベル５の速度バーの高さは、１８＋１２＝３０ピクセルとなる。簡易表示であるため各押下レベルの速度バーの高さは、それぞれに割り当てられたズーム速度に一意に対応しているわけではないため、速度バーの高さだけから割り当てられた正確な速度を知ることはできない。しかしこのように表示された速度バーを見ることで、ユーザーは、速度レベル１と２のズーム速度の差（＝１）よりも、速度レベル４と５のズーム速度の差（＝１４）の方がかなり大きいことが分かる。
【０１１５】
Ｓ９１４では、システム制御部５０は、変数ｉが５に達したか否かを判定する。変数ｉが５に達していない場合には、次の押下レベルの速度バーの表示処理を行うべく、Ｓ９１５に進み、変数ｉを１インクリメントしてＳ９０９へ進む。変数ｉが５に達した場合には全ての速度バーの表示処理が終了したため、Ｓ９１６に進む。
【０１１６】
Ｓ９１６では、システム制御部５０は、ズーム速度設定簡易表示処理で表示すべきその他の表示要素（例えば、後述するアイコン４７６、４８６）を表示し処理を終了する。なお、本実施形態のズーム速度設定簡易表示処理では、ズーム速度数値表示領域は表示しないものとする（各速度レベルに割り当てられたズーム速度の数値は表示しない）が、表示しても良い。
【０１１７】
図１０（ａ１）〜（ａ３），図１０（ｂ１）〜（ｂ３）を用いて、３つの割当パターンについて、ズーム速度設定詳細表示処理（図５で前述した処理）と、ズーム速度設定簡易表示処理（図９で説明した処理）とでそれぞれ表示した場合の表示例を説明する。図１０（ａ１）〜（ａ３）は、ズーム速度設定詳細表示処理（図５で前述した処理）で表示した場合の表示例である。図１０（ｂ１）〜（ｂ３）は、ズーム速度設定簡易表示処理（図９で説明した処理）で表示した場合の表示例である。図１０（ａ１）と図１０（ｂ１）は同じ設定パターン（押下レベル１〜５に割り当てられたズーム速度がそれぞれ１，５，９，１２，１６）における表示例である。図１０（ａ２）と図１０（ｂ２）は同じ設定パターン（押下レベル１〜５に割り当てられたズーム速度がそれぞれ１，２，２，２，１６）における表示例である。図１０（ａ３）と図１０（ｂ３）は同じ設定パターン（押下レベル１〜５に割り当てられたズーム速度がそれぞれ０，５，９，１２，１６）における表示例である。図４で前述した表示要素と同じ表示要素には同じ符号を付している。図１０（ｂ１）〜（ｂ３）の速度バー４７１〜４７５はそれぞれ、テレ側への押下レベル１〜５に対応する速度バーである。アイコン４７６は、右側の速度バー４７１〜４７５がテレ側への操作に対応するものであることを示すガイド表示である。速度バー４８１〜４８５はそれぞれ、ワイド側への押下である押下レベル−１〜−５に対応する速度バーである。アイコン４８６は、左側の速度バー４８１〜４８５がテレ側への操作に対応するものであることを示すガイド表示である。表示アイテム１０１０は、動画に記録される音声の録音レベルを示すオーディオレベルメーターであり、ズーム速度設定詳細表示処理が行われるユーザー設定確認画面、ユーザー設定編集画面では表示されない表示アイテムである。表示アイテム１０１０のように、撮影待機画面では、ズーム速度に関する表示要素以外の撮影に関する表示要素も表示する必要がある。それらの表示スペースも確保する必要があるため、撮影待機画面では、ズーム速度設定詳細表示処理が行われるユーザー設定確認画面、ユーザー設定編集画面に比べて、ズーム速度に関する情報である速度バーの表示に使える表示スペースは少ない。この意味でも、撮影待機画面ではズーム速度設定は簡易的な表示にする必要がある。
【０１１８】
ズーム速度設定詳細表示処理では、図１０（ａ１）〜（ａ３）に示すように、５個（Ｍ個、Ｍ段階）の各押下レベルに割り当て可能なズーム速度である０〜１６のそれぞれに一意に対応する１７段階（ｎより大きいＬ段階）の高さで各速度バーを表示する。これに対し、ズーム速度設定簡易表示処理では、図１０（ｂ１）〜（ｂ３）に示すように、５個（Ｍ個）の各押下レベルに割り当て可能なズーム速度である０〜１６のそれぞれに一意に対応しない、５段階（Ｌより小さいｎ段階）の高さで各速度バーを表示する。これは、速度バーの最大の高さを詳細表示の際よりも低く抑えるとともに、１段階の高さの違いを確実に認識できるように表示するためである。１段階の高さの違いを小さくし過ぎる（例えば１ピクセルとする）と、ユーザーが速度バーの高さの違いを認識できず、異なる押下レベルに割り当てられたズーム速度に差異があるのに、差異が無いと誤認してしまう可能性がある。このような誤認を抑止するために、１段階の高さの違いをある程度確保する（本実施形態では、前述のｈ２＝４ピクセルを確保する）。従って、詳細表示の速度バーを単に縮小するのではなく、最大値の高さを低くするとともに、全体の段階数を１７段階（Ｎ段階）から５段階（ｎ段階）と少なくしている。
【０１１９】
また、段階数を減らしてはいるが、ズーム速度の設定値０〜３を１段階目、４〜６を２段階目、７〜９を３段階目、１０〜１２を４段階目、１３〜１６を５段階目の高さに対応付ける、というように単に数値を丸めた表現とはしていない。仮に、このように単に丸めた表示としてしまうと、押下レベル１にズーム速度１が、押下レベル２にズーム速度２が割り当てられている場合に、速度バーの高さが同じ高さとなってしまい、押下レベル１と２に速度差があることがわからなくなってしまう。このようなことを防ぐために、図９で前述したように、片側隣の押下レベルに割り当てられたズーム速度と差分のある押下レベルの数（前述の変数ｂ）に応じて各速度バーの高さを決めている。すなわち、各速度バーの高さは、各々に対応する速度だけでは決定されず、他の速度バーに対応する速度も考慮して決定される。より詳しくは、各速度バーの高さは変数ｂに基づいて決まるが、図９で説明した通り、変数ｂはＶ（ｉ）−Ｖ（ｉ＋１）がゼロで無かった数に基づいて決まる。すなわち変数ｂは、ｉ＝１〜５について、Ｖ（ｉ）−Ｖ（ｉ＋１）を考慮した数値である。言い換えれば、各速度バーの高さ（表す段階）は、複数の押下レベルのうち、当該速度バーに対応するズーム速度以外の複数の押下レベルのズーム速度に応じて異なる。例えば、押下レベル１、２、３、４、５に割り当てられたズーム速度がそれぞれ１、５、９、１２、１６の場合（図１０（ｂ１）の場合）の押下レベル３の速度バー高さは前述の２２ピクセルとなる。一方、押下レベル１、２、３、４、５に割り当てられたズーム速度がそれぞれ１、２、９、９、９の場合は、ｂ＝２となり、押下レベル３に同じく「９」が割り当たっていても、押下レベル３の速度バーの高さは２６ピクセルとなる。また、押下レベル１、２、３、４、５に割り当てられたズーム速度がそれぞれ１、１、９、９、９の場合は、ｂ＝１となり、押下レベル３に同じく「９」が割り当たっていても、押下レベル３の速度バーの高さは２６ピクセルとなる。また、複数の速度バーのうち最大値、最小値だけに基づいて縮小幅を決めるといった手法でもなく、最大値以外かつ最小値以外の値も考慮して決まる。このようにすることで、例えば図１０の（ｂ２）のように、速度バー４７１と速度バー４７２の高さの違いをユーザーが認識でき、それぞれの押下レベルに割り当てられたズーム速度に差分があることを認識できるようにしている。このように、本実施形態のズーム速度設定簡易表示処理によれば、設定可能なズーム速度の設定値の段階数（１７）よりも少ない段階数（５）で、各押下レベルに割り当てられたズーム速度の違いをより的確にユーザーに認識させることが可能となる。
【０１２０】
なお、図１０（ｂ１）〜（ｂ３）のような簡易的な速度バーの表示を行っている場合に、ユーザーから詳細な速度バーの表示に切り替える指示操作があった場合に、図１０（ａ１）〜（ａ３）のような１７段階の詳細な速度バーの表示に切り替えてもよい。
【０１２１】
また、簡易的な速度バーの高さの決定要素として、昇順または降順における片側隣の押下レベルに割り当てられたズーム速度と差分のある押下レベルの数（前述の変数ｂ）に応じて各速度バーの高さを決める例を説明したが、これに限るものではない。例えば、押下レベル１〜５のうち、同一のズーム速度が割り当てられた群の数（変数ｃ）に基づいて各速度バーの高さを決めても、上述と同様の効果を得られる。例えば、図１０（ａ１）、図１０（ｂ１）の設定パターン（押下レベル１〜５に割り当てられたズーム速度がそれぞれ１，５，９，１２，１６）は、同一のズーム速度が割り当てられた群の数はｃ＝５である。図１０（ａ２）と図１０（ｂ２）の設定パターン（押下レベル１〜５に割り当てられたズーム速度がそれぞれ１，２，２，２，１６）は、同一のズーム速度が割り当てられた群（１の群、２の群、１６の群）の数はｃ＝３である。５つの押下レベルにおける変数ｃの取りうる値は１〜５である。前述の図１１における変数ｂの０〜５を、それぞれ変数ｃの１〜５に置き換えたとしても、同じ表示結果が得られる。
【０１２２】
図９、図１０（ｂ１）〜（ｂ３）で説明したような、複数の値（上述の例では押下レベル１〜５の値）について、多段階の数値（１７段階のズーム速度）を、少段階（５段階）で簡略化して表示する手法は、ズーム速度に関わらず適用可能である。例えば、本体メモリ／メモリーカードＡ／メモリーカードＢなどの複数の記録媒体の残容量を表示する際や、複数の電池の電池残量を表示する際、複数の音声出力デバイスの出力音量を表示する際、複数チャンネルの出力音量を表示する際などに適用可能である。また、段階を表現する表示として、各距離バーの高さで表現する例を説明したが、高さで無くとも、数字、文字列、表示面積、高さ、幅、明るさ、色の少なくともいずれかによって対応する段階を表示するものとしてもよい。
【０１２３】
以上説明した本実施形態によれば、複数段階の操作量（押下レベル）で操作可能な操作部材を用いて、より操作性良くズーム操作を行うことができる。
【０１２４】
なお、上述の実施形態において、ズームキー１０４に対する操作について説明した処理は、ズームキー１０４に限らず、複数段階の操作量で操作可能な操作部材に対する操作にも適用可能である。例えば、複数段階の押下量を検知可能な押しボタン、感圧操作デバイス（感圧タッチパネルなど）、複数段階の回転量を検知可能な回転操作部材、複数段階の傾け角度を検知可能なジョイスティックなどにも適用可能である。
【０１２５】
さらに、上述の実施形態では、設定値として各操作レベル（押下レベル）に登録する設定値（処理内容）としてズーム速度の例を説明したが、これに限るものではなく、他の設定項目の設定値に適用することも可能である。これは、カメラの機能に限るものではない。例えば、通知音や動画の音声などの音の出力レベル（音量）を操作部材の各操作レベル（押下レベル）に登録する場合などにも適用可能である。
【０１２６】
なお、図６（ａ）〜（ｅ）を用いて説明した、ズームキー１０４の押下量に対応した押下レベルの表示は、図６（ａ）〜（ｅ）で説明したような押下レベル毎の速度バーを用いた表示でなくてもよい。例えば、図１２に示すような、各押下レベルと、割り当てられたズーム速度とを文字列で表した表示において、ズームキー１０４の押下量に対応した押下レベルの表示を行っても良い。図１２において、指標１２０１は、図６（ａ）〜（ｅ）で説明した指標４２０に対応するものであり、ズームキー１０４の押下量に応じた上下位置に表示位置が移動する。下線１２０２と下線１２０３が、図６（ａ）〜（ｅ）で説明した強調表示に対応する。このような表示でも、図６（ｃ）で説明した例と同様に、ユーザーは、現在の押下量に対応する押下レベルがどれであるか、及び、同じズーム速度が割り当てられた他の押下レベルを認識することができる。図１２の例では、現在の押下量に対応する押下レベルが押し込み量４（すなわち押下レベル４）、同じズーム速度が割り当てられた他の押下レベルとして押し込み量３（押下レベル３）があることがわかる。
【０１２７】
図６（ｃ）では、特定の操作部材（ズームキー１０４）に対する現在の押下量に対応する押下レベルと、同じズーム速度が割り当てられている他の速度レベルとを強調表示する例を説明した。しかし、同一の操作部材に対する操作量（押下レベル）毎の割当設定値（ズーム速度）の表示に限らず、適用可能である。例えば、複数の操作部材にそれぞれ異なる設定値や機能を割り当て可能である場合に、複数の操作部材に同一の設定値または機能が割り当てられていることをユーザーに示す際にも好適である。
【０１２８】
図１３に、アサインボタン１（１００１）〜アサインボタン４（１００４）のそれぞれにユーザーが所望の機能を割り当てた設定状況を示す設定確認画面１３５１の表示部２８における表示例を示す。アサインボタン１（１００１）〜アサインボタン４（１００４）のそれぞれには、複数の機能のうちユーザーが選択した機能を割り当てることができ、各アサインボタンを押下すると、割り当てられた機能が実行される。図１３において、数字１３５２〜１３５５（１〜４）は、アサインボタンの番号を示している。機能名１３５６〜１３５９には、数字１３５２〜１３５５に対応付けて、各アサインボタンに割り当てられた機能名が表示されている。図示の例では、アサインボタン１（１００１）にＷＢ変更（ホワイトバランスの変更）が、アサインボタン２（１００２）にＡＦ／ＭＦ切り換えが割り当てられている。また、アサインボタン３（１００３）にメニューを開く機能が、アサインボタン４（１００４）にＷＢ変更が割り当てられている。アサインボタン１（１００１）〜４（１００４）のいずれかが押下されると、数字１３５２〜１３５５（１〜４）のうち、押下されたアサインボタンの番号が強調表示（例えば太い黒文字で表示）され、その他のアサインボタンの番号はグレーアウトして表示される。これによって、ユーザーは、押下したアサインボタンが何であるかと、押下したアサインボタンに割り当てられた機能が何であるかを認識することができる。図示の例では、アサインボタン４（１００４）が押下され、数字１３５５（４）が強調表示され、その他の数字がグレーアウトしている。また、押下されたアサインボタンに割り当てられた機能には下線が表示され、機能名が強調される。さらに、押下されたアサインボタンに割り当てられた機能と同じ機能が割り当てられた他のアサインボタンについても、機能名に下線が表示され、機能名が強調される。図示の例では、押下されたアサインボタン４に対応する機能名「ＷＢ変更」に下線１３６１が表示されるとともに、押下されたアサインボタンとは異なるアサインボタン１に対応する機能名「ＷＢ変更」にも下線１３６０が表示される。これによってユーザーは、「ＷＢ変更」という機能を実行したいのであれば、現在押下しているアサインボタン４ではなく、アサインボタン１を押下しても実行できることを認識することができる。従って、ユーザーが敢えて２つのアサインボタンに同じ機能を割り当てている場合には、正しく意図通りに設定出来ていることを認識ことができる。また、誤って２つのアサインボタンに同じ機能を割り当ててしまった場合にもそのことを認識でき、必要に応じて片方のアサインボタンに別の機能を割り当てるといった修正を行うことができる。同様に、十字キーやジョイスティックのように、複数の操作位置あるいは操作方向別に異なる機能を割り当て可能な操作部材にも適用かのうである。すなわち、このような操作部材が操作された場合に、操作された操作位置あるいは操作方向、あるいはそこに割り当てられた処理内容を識別表示するとともに、同じ処理内容が割り当てられた他の操作位置または操作方向を識別表示してもよい。総じて言えば、複数の操作方法別に処理内容を設定可能であり、いずれかの操作方法で操作された場合に、操作された操作方法またはその操作方法に割り当てられた処理内容を識別表示する。それとともに、操作された操作方法に割り当てられた処理内容と同じ処理内容を指示可能な他の操作方法またはその他の操作方法に割り当てられた処理内容を識別表示する。その差異、異なる処理内容が割り当てられた操作方法とは識別可能に表示する。
【０１２９】
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【０１３０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１３１】
また、上述した実施形態においては、本発明を撮像装置であるデジタルカメラ１００に適用した場合を例にして説明したが、これはこの例に限定されなし。ユーザー操作に応じて操作部材に設定値や機能を割当可能な電子機器、あるいは、操作部材の操作量毎に異なるパラメータで制御することが可能な電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、家電、車載装置などに適用可能である。
【０１３２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2020042595.tif 000003
【図２】
2020042595.tif 000004
【図３】
2020042595.tif 000005
【図４】
2020042595.tif 000006
【図５】
2020042595.tif 000007
【図６】
2020042595.tif 000008
【図７】
2020042595.tif 000009
【図８】
2020042595.tif 000010
【図９】
2020042595.tif 000011
【図１０】
2020042595.tif 000012
【図１１】
2020042595.tif 000013
【図１２】
2020042595.tif 000014
【図１３】
2020042595.tif 000015